(57)【要約】【課題】デジタルカメラ等に搭載された表示装置の色調と、出力先の表示装置の色調との違いを低減する。【解決手段】少なくとも白色の最大出力時における各画素への投入電流値を色調設定データとして格納した保持手段（メモリ１０７）と、色調設定データを選択し、その選択信号をシステム制御部１０４に出力する選択手段（操作部１０５）と、選択手段（操作部１０５）によって選択された色調設定データを保持手段（メモリ１０７）から呼び出し、その色調設定データを表示部２に出力するシステム制御部１０４と、を備える。表示部は、入力された画像データに対して、同じく入力された色調設定データを参照し、赤、緑、青の各画素に投入する電流値を決定して画像表示を行う。【選択図】  図１
2009069548.tif 000002
【特許請求の範囲】
【請求項１】
出力先に対応した表示色調を設定可能な画像表示装置であって、
少なくとも赤色、緑色、青色の各画素を有する表示部と、
画像表示装置を制御するシステム制御部と、
少なくとも白色の最大出力時における各画素への投入電流値を色調設定データとして格納する保持手段と、
前記色調設定データを選択し、その選択信号を前記システム制御部に出力する選択手段と、を備え、
前記システム制御部は、前記選択手段によって選択された色調設定データを前記保持手段から呼び出し、その色調設定データを前記表示部に出力し、
前記表示部は、入力された画像データに対して、同じく入力された前記色調設定データを参照して、各画素に投入する電流値を決定することにより画像表示を行うことを特徴とする画像表示装置。
【請求項２】
前記保持手段は、赤色、緑色、青色、及び白色の最大出力時における各画素への投入電流値を色調設定データとして複数格納していることを特徴とする請求項１に記載の画像表示装置。
【請求項３】
前記表示部を構成する表示パネルは、有機ＥＬディスプレイであることを特徴とする請求項１又は請求項２に記載の画像表示装置。
【請求項４】
請求項１乃至請求項３のいずれか１項に記載の画像表示装置を備えたことを特徴とする撮像装置。
【発明の詳細な説明】
【技術分野】
【０００１】
本発明はデジタルカメラ等に搭載された画像表示装置に関するものであり、特に出力先に対応した表示色調を設定可能な画像表示装置に関するものである。
【背景技術】
【０００２】
デジタルカメラで撮影された画像をＰＣモニタやテレビ受像機等に表示し、あるいはプリントした際に、撮影者がイメージした色調と異なる印象を受けることがある。この問題は、撮像素子自体の色再現範囲と、出力先モニタ又はプリンタ等の色再現範囲との差異や、白色の表示色度（ホワイトバランス）の違いに起因する。
【０００３】
表示装置における白色点（ホワイトバランス）は色温度により表現される場合が多いが、色温度が高いほど青色に近い白色表示となり、色温度が低いほど黄色に近い白色表示となる。例えば、日本で一般的に普及しているテレビ受像機のホワイトバランスを色温度で表すと９３００Ｋという色温度設定が主流であり、そこに色温度６５００Ｋで撮像された画像が表示されると本来の色よりも青めに表示されてしまう。
【０００４】
図６を参照して、カメラ上で確認した色調と、出力先ＰＣでの色調とが異なる現象を説明する。図６は、画像表示装置における色再現範囲及びＷの表示色度（Ｗバランス）が変化する様子をＣＩＥｘｙ座標で示した説明図である。
【０００５】
図６において、符号Ａ，Ｃで示すカメラの背面モニタの色再現範囲と白色点に対して、符号Ｂ，Ｄで示す出力先のＰＣモニタの色再現範囲と白色点が大きく異なっていたとする。この場合、カメラ上で確認した色調と、出力先ＰＣにおける色調とが異なり、利用者が違和感を覚える等の弊害が生じてしまう。
【０００６】
従来、このような問題に対して、色温度設定を複数個備えて、設定により色温度設定を変更可能な表示装置が存在する。また、撮像素子から出力される画像データに対して色調調整を施し、デジタルカメラに搭載されたモニタ上にリアルタイムで表示することにより、どのように色再現されるかを容易に把握できる技術が開示されている（特許文献１参照）。
【０００７】
【特許文献１】特開２００３−３２６９９号公報
【発明の開示】
【発明が解決しようとする課題】
【０００８】
従来、上述したような色調調整は、色温度やＨＶＣ（色相、明度、彩度）等のパラメータで既定されることが多い。しかし、色温度による設定では、デジタルカメラ等に搭載された表示装置と出力先の表示装置とにおける色調の違いを補正することはできない。
【０００９】
本発明は、上述した問題点に鑑み提案されたもので、デジタルカメラ等に搭載された表示装置の色調と、出力先の表示装置の色調との違いを低減することが可能な画像表示装置を提供することを目的とする。
【課題を解決するための手段】
【００１０】
本発明の画像表示装置は、上述した目的を達成するため、以下の特徴点を備えている。すなわち、本発明の画像表示装置は、保持手段と、選択手段と、システム制御部と、表示部とを有しており、各構成要素は、以下の機能を備えていることを特徴とするものである。
【００１１】
保持手段は、少なくとも白色の最大出力時における各画素への投入電流値を色調設定データとして格納する。選択手段は、色調設定データを選択し、その選択信号をシステム制御部に出力する。システム制御部は、選択手段によって選択された色調設定データを保持手段から呼び出し、その色調設定データを表示部に出力する。表示部は、入力された画像データに対して、同じく入力された色調設定データを参照して、赤、青、緑の各画素に投入する電流値を決定して画像表示を行う。
【発明の効果】
【００１２】
本発明の画像表示装置は、少なくとも白色の最大出力時における各画素への投入電流値である色調設定データを選択する。そして、入力された画像データに対して、選択された色調設定データを参照して、赤色、緑色、青色の各画素に投入する電流値を決定している。このように、本発明の画像表示装置は、白色点だけではなく、赤色、緑色、青色の各画素に対する発光色度（色再現範囲）を、各画素に投入する最大電流値で設定することができる。
【００１３】
したがって、デジタルカメラ等に搭載された表示装置の色調と、出力先の表示装置の色調との違いを低減して、ユーザーにとって違和感のない表示を行うことが可能となる。
【発明を実施するための最良の形態】
【００１４】
以下、図面を参照して、本発明の画像表示装置の実施形態を説明する。
【００１５】
図１は、本発明の実施形態に係る画像表示装置を搭載したデジタルカメラの構成を示すブロック図、図２は、本発明の実施形態に係る画像表示装置を搭載したデジタルカメラの背面パネルの模式図である。
【００１６】
＜デジタルカメラの外観＞
本発明の実施形態に係る画像表示装置は、特に自発光型の画像表示装置に好適に適用できるものである。この画像表示装置を搭載したデジタルカメラ１は、図２に示すように、筐体の外面に表示部２及び各種の設定や撮像操作を行うための操作部１０５を備えている。本発明の実施形態では、このデジタルカメラ１が撮像装置として機能する。なお、本発明の実施形態に係る画像表示装置を搭載した撮像装置はデジタルカメラ１に限定されず、デジタルビデオカメラ等の他の撮像装置であってもよい。
【００１７】
＜デジタルカメラの構成＞
図１に示すように、デジタルカメラ１は、結像レンズ１０１、撮像素子１０２、画像信号処理部１０３、システム制御部１０４、選択手段として機能する操作部１０５、記憶メディア１０６、保持手段として機能するメモリ１０７、及び表示部２を備えている。
【００１８】
このデジタルカメラ１では、レンズ１０１により結像した画像が、撮像素子１０２により光電変換され、画像信号処理部１０３でデジタル画像データに変換されて、保持手段として機能するメモリ１０７に一時的に格納される。メモリ１０７に一時的に格納されたデジタル画像データは、システム制御部１０４により表示部２に出力されるとともに、圧縮処理等を施して記録メディア１０６へ保存される。
【００１９】
操作部１０５は、操作キーやスイッチなどの操作器で構成されており、選択手段として機能する。この操作部１０５は、ユーザーの操作に応じた選択信号をシステム制御部１０４に送信することで、画像の撮像、記録メディア１０６へのデータ保存、表示部２へのデータ出力、撮像及び出力等に関する各種設定の選択が行われる。メモリ１０７には、撮像及び出力等に関する設定を行うためのデータが格納されており、設定はシステム制御部１０４により管理・実行される。メモリ１０７に格納された画像データは、表示部２の表示画像データ変換部１０８により表示色調や表示輝度等が調整されたＲＧＢ出力データに変換され、駆動回路１０９を介して表示パネル１１０に出力される。
【００２０】
表示パネル１１０は、例えばアクティブマトリクス型の表示パネルで構成される。本実施形態では、表示パネル１１０として、有機ＥＬ素子とＴＦＴ（Ｔｈｉｎ  Ｆｉｌｍ  Ｔｒａｎｓｉｓｔｏｒ）を含む複数の画素がマトリクス状に配置されて成る有機ＥＬディスプレイが用いられている。有機ＥＬ素子は、供給される電流によって発光輝度が制御される電流制御型の発光素子である。このような有機ＥＬディスプレイでは、赤色、緑色、青色（以下、Ｒ，Ｇ，Ｂと略記する）の３原色の発光素子がそれぞれその波長の光を発光するＥＬ材料で構成される。そして、これらの発光素子が隣接配置されて１つの色を表示する単位となり、これが行方向と列方向に配列されている。
【００２１】
なお、本実施形態の表示パネル１１０は、出力先の画像表示装置であるＰＣモニタや家庭用テレビの色再現域を超える色再現域を備えている必要がある。
【００２２】
メモリ１０７に格納された画像データは、Ｒ，Ｇ，Ｂの各８ｂｉｔ（０〜２５５）データからなる。表示画像データ変換部１０８では、この画像データに対して、同じくメモリ１０７に格納された色調設定データを参照して、表示パネル１１０が有するＲ，Ｇ，Ｂの各画素に投入する電流値を決定し、駆動回路１０９に出力することで画像の表示を行う。
【００２３】
＜表示色調設定値の決定方法＞
次に、表示色調設定値の決定方法について説明する。
【００２４】
先に述べたように、画像はＲ，Ｇ，Ｂの各画素の発光が混色されることにより表示される。従来の表示装置では、Ｒ，Ｇ，Ｂの単色表示において、Ｒ，Ｇ，Ｂの各画素が単体で発光する。そして、Ｒ，Ｇ，Ｂの各画素の最大発光値（最大電流値の）比率を制御することで、白色（以下、Ｗと略記する）の発光色が決定される。この方式では、Ｗの色調を制御することはできるが、色再現範囲はＲ，Ｇ，Ｂの各画素の発光色度により一義的に決まってしまう。
【００２５】
これに対して、本実施形態の表示部２は、Ｒ，Ｇ，Ｂそれぞれの単色表示においても、Ｒ，Ｇ，Ｂの各画素の発光を混色して表示することにより、異なる色再現域における表示が可能となっている。Ｒ，Ｇ，Ｂの各画素の単色表示時における最大出力を、それぞれＲｏｕｔ、Ｇｏｕｔ、Ｂｏｕｔとすると、例えば、Ｒｏｕｔにおける投入電流は、Ｒ画素への出力Ｉｒｒ、Ｇ画素への出力Ｉｒｇ、Ｂ画素への出力Ｉｒｂとなる。さらに、このＲｏｕｔ、Ｇｏｕｔ、Ｂｏｕｔの比率によりＷの表示色度が決定される。
【００２６】
このように、表示色調設定は、Ｒ，Ｇ，Ｂ，Ｗの最大出力時における各画素への投入電流値のテーブルをメモリ１０７に複数格納しておき、表示画像データ変換部１０８が当該テーブルを参照することにより実行される。なお、ｒ，ｇ，ｂは、Ｗの表示色を決定する際のＲｏｕｔ、Ｇｏｕｔ、Ｂｏｕｔの比率を表しており、Ｉｗｒ＝Ｉｒｒ×ｒ＋Ｉｇｒ×ｇ＋Ｉｂｒ×ｂ、Ｉｗｇ＝Ｉｒｇ×ｒ＋Ｉｇｇ×ｇ＋Ｉｂｇ×ｂ、Ｉｗｂ＝Ｉｒｂ×ｒ＋Ｉｇｂ×ｇ＋Ｉｂｂ×ｂで与えられる。
【００２７】
下記表１に、Ｒｏｕｔ、Ｇｏｕｔ、Ｂｏｕｔ、Ｗｏｕｔと、Ｒ電流、Ｇ電流、Ｂ電流との関係を示す。
【００２８】
【表１】
2009069548.tif 000003
【００２９】
＜色再現範囲及びＷバランスの変化＞
図３は、本発明の実施形態に係る画像表示装置における色再現範囲及びＷの表示色度（Ｗバランス）が変化する様子をＣＩＥｘｙ座標で示した説明図である。
【００３０】
本発明の実施形態に係る画像表示装置における最大色再現範囲は、Ｒ，Ｇ，Ｂの各画素が有する色度で決定する。図３に示すように、最大色再現範囲以内の領域であれば、Ｒ，Ｇ，Ｂの各出力（Ｒｏｕｔ、Ｇｏｕｔ、Ｂｏｕｔ）の色度（三角形の頂点の位置）は、任意の座標上の位置に設定することができる。また、Ｗｏｕｔについてもｒ，ｇ，ｂの比率を変えることで、任意の座標上の位置に設定することができる。
【００３１】
＜表示色調の設定方法＞
次に、表示色調の設定方法について説明する。図４及び図５は、表示色調設定画面の模式図である。
【００３２】
本発明の実施形態に係る画像表示装置を備えたデジタルカメラにおいて、表示色調を設定するには、ユーザーが操作部１０５を操作して、表示パネル１１０に表示色調設定画面（図４参照）を表示させる。そして、この表示色調設定画面において、所望の設定を選択・決定することにより、表示色調が設定される。これにより、表示画像データ変換部１０８は、選択された設定を参照し、表示パネル１１０への出力を行う。
【００３３】
また、色表示設定の保存を行うには、ユーザーが操作部１０５を操作して、表示パネル１１０に設定入力画面（図５ａ参照）を表示させて、色調設定の保存名を入力する。そして、Ｒ，Ｇ，Ｂの各出力Ｒｏｕｔ、Ｇｏｕｔ、Ｂｏｕｔについて、それぞれＲ画素、Ｇ画素、Ｂ画素の出力比を図５ｂ、図５ｃ、図５ｄに示すＲ，Ｇ，Ｂの各インジケータを操作することにより決定する。
【００３４】
この際、表示パネル１１０の画面には、調整後の表示色と、この表示色を表す色度値とが表示される。同様に、図５ｅに示す画面において、Ｗの出力を決定する。この際のＲ，Ｇ，Ｂも各インジケータは、先に決定したＲ，Ｇ，Ｂの各出力値Ｒｏｕｔ、Ｇｏｕｔ、Ｂｏｕｔを示しており、調整後の表示色と、この表示色を表す色度値及び色温度が表示される。Ｒ，Ｇ，Ｂ，Ｗの各設定値は、入力した任意の名称によりメモリ１０７に保存され、図４に示す設定画面からいつでも呼び出すことができる。
【００３５】
以上説明したように、本発明の実施形態に係る画像表示装置では、出力先の画像表示装置に対応させて色調設定データを選択して設定することができる。具体的には、例えば、Ｒ２５５のデータ（赤色の最大出力）に対して、Ｒ画素だけではなくＧ，Ｂの各画素も点灯させることで、出力先の表示装置（例えばＰＣモニタ）における赤色と同様の色度で表示を行うようにする。この際の各画素の発光比率（又は投入電流値）を色調設定データとしてメモリに保持しておき、この色調設定データを用いて設定を行う。これにより、デジタルカメラ等に搭載された表示装置の色調と、出力先の表示装置（例えばＰＣモニタ）の色調との違いが低減され、出力先の表示装置においても、ユーザーにとって違和感のない表示を行うことができる。
【図面の簡単な説明】
【００３６】
【図１】本発明の実施形態に係る画像表示装置を搭載したデジタルカメラの構成を示すブロック図である。
【図２】本発明の実施形態に係る画像表示装置を搭載したデジタルカメラの背面パネルの模式図である。
【図３】本発明の実施形態に係る画像表示装置における色再現範囲及びＷの表示色度（Ｗバランス）が変化する様子をＣＩＥｘｙ座標で示した説明図である。
【図４】本発明の実施形態に係る画像表示装置を備えたデジタルカメラにおける表示色調設定画面の模式図である。
【図５】本発明の実施形態に係る画像表示装置を備えたデジタルカメラにおける表示色調設定画面の模式図である。
【図６】画像表示装置における色再現範囲及びＷの表示色度（Ｗバランス）が変化する様子をＣＩＥｘｙ座標で示した説明図である。
【符号の説明】
【００３７】
１  デジタルカメラ
２  表示部
１０１  レンズ
１０２  撮像素子
１０３  画像信号処理部
１０４  システム制御部
１０５  操作部（選択手段）
１０６  記録メディア
１０７  メモリ（保持手段）
１０８  表示画像データ変換部
１０９  駆動回路
１１０  表示パネル
【図１】
2009069548.tif 000004
【図２】
2009069548.tif 000005
【図３】
2009069548.tif 000006
【図４】
2009069548.tif 000007
【図５】
2009069548.tif 000008
【図６】
2009069548.tif 000009